(57)【要約】【課題】  互いに直交する直線偏光を用いる多重通信するシステムにおいて、受信装置の位置や角度に依存せずに複数のデータ信号を多重伝送可能とする。【解決手段】  多重データ信号送信装置は、データ信号１で変調した第１の光を出力する第１の光源と、データ信号２で変調した第２の光を出力する第２の光源と、第１の光を右回り円偏光ＲＣＰに変換し、第２の光を左回り円偏光ＬＣＰに変換し、それらを同時に出力する円偏光変換器とを備える。多重データ信号受信装置は、第１のデータ信号で変調された右回り円偏光ＲＣＰと第２のデータ信号で変調された左回り円偏光ＬＣＰを第１の直線偏光および第２の直線偏光に変換する直線偏光変換器と、第１の直線偏光から第１のデータ信号を検出する第１の光検出器と、第２の直線偏光から第２のデータ信号を検出する第２の光検出器とを備える。【選択図】        図１
2007318530.tif 000002
【特許請求の範囲】
【請求項１】
データ信号１で変調した第１の光を出力する第１の光源と、
データ信号２で変調した第２の光を出力する第２の光源と、
前記第１の光および前記第２の光を入力し、前記第１の光を右回り円偏光ＲＣＰに変換し、前記第２の光を左回り円偏光ＬＣＰに変換し、それらを同時に出力する円偏光変換器と
を備えたことを特徴とする多重データ信号送信装置。
【請求項２】
請求項１に記載の多重データ信号送信装置において、
前記円偏光変換器は、
前記第１の光を入力して第１の直線偏光に変換する第１の偏光板と、
前記第２の光を入力し、前記第１の直線偏光に直交する第２の直線偏光に変換する第２の偏光板と、
前記第１の直線偏光を入力して前記右回り円偏光ＲＣＰに変換する第１の１／４波長板と、
前記第２の直線偏光を入力して前記左回り円偏光ＬＣＰに変換する第２の１／４波長板と
を備えたことを特徴とする多重データ信号送信装置。
【請求項３】
請求項２に記載の多重データ信号送信装置において、
前記第１の１／４波長板と前記第２の１／４波長板を１つの１／４波長板で構成したことを特徴とする多重データ信号送信装置。
【請求項４】
請求項１に記載の多重データ信号送信装置において、
前記円偏光変換器は、
前記第１の光を入力して第１の直線偏光に変換する第１の偏光板と、
前記第２の光を入力し、前記第１の直線偏光と同一偏光の第２の直線偏光に変換する第２の偏光板と、
前記第１の偏光板から出力される前記第１の直線偏光を入力して前記右回り円偏光ＲＣＰに変換する第１の１／４波長板と、
前記第２の偏光板から出力される前記第２の直線偏光を入力して前記左回り円偏光ＬＣＰに変換する第２の１／４波長板と
を備えたことを特徴とする多重データ信号送信装置。
【請求項５】
請求項４に記載の多重データ信号送信装置において、
前記第１の偏光板と前記第２の偏光板を１つの偏光板で構成したことを特徴とする多重データ信号送信装置。
【請求項６】
第１のデータ信号で変調された右回り円偏光ＲＣＰと、第２のデータ信号で変調された左回り円偏光ＬＣＰとを入力し、第１の直線偏光および第２の直線偏光に変換し、それぞれ分離して出力する直線偏光変換器と、
前記右回り円偏光ＲＣＰから変換された前記第１の直線偏光を受光し、前記第１のデータ信号を検出する第１の光検出器と、
前記左回り円偏光ＬＣＰから変換された前記第２の直線偏光を受光し、前記第２のデータ信号を検出する第２の光検出器と
を備えたことを特徴とする多重データ信号受信装置。
【請求項７】
請求項６に記載の多重データ信号受信装置において、
前記直線偏光変換器は、
前記右回り円偏光ＲＣＰと前記左回り円偏光ＬＣＰを互いに直交する第１の直線偏光および第２の直線偏光に変換する第１の１／４波長板と、
前記右回り円偏光ＲＣＰと前記左回り円偏光ＬＣＰを互いに直交する第３の直線偏光および第４の直線偏光に変換する第２の１／４波長板と、
前記第１の１／４波長板から出力される第１の直線偏光および第２の直線偏光のうち、前記右回り円偏光ＲＣＰに対応する第１の直線偏光を出力する第１の偏光板と、
前記第２の１／４波長板から出力される第３の直線偏光および第４の直線偏光のうち、前記左回り円偏光ＬＣＰに対応する第４の直線偏光を出力する第２の偏光板と
を備えたことを特徴とする多重データ信号受信装置。
【請求項８】
請求項７に記載の多重データ信号受信装置において、
前記第１の１／４波長板と前記第２の１／４波長板を１つの１／４波長板で構成したことを特徴とする多重データ信号受信装置。
【請求項９】
請求項７に記載の多重データ信号受信装置において、
前記第１の偏光板と前記第２の偏光板を１つの偏光板で構成したことを特徴とする多重データ信号受信装置。
【請求項１０】
請求項６に記載の多重データ信号受信装置において、
前記直線偏光変換器は、
前記右回り円偏光ＲＣＰと前記左回り円偏光ＬＣＰを互いに直交する第１の直線偏光および第２の直線偏光に変換する１／４波長板と、
前記１／４波長板から出力される第１の直線偏光および第２の直線偏光を空間的に分離する偏光分離素子と
を備えたことを特徴とする多重データ信号受信装置。
【発明の詳細な説明】
【技術分野】
【０００１】
本発明は、多チャネル化に対応する複数のデータ信号を多重伝送するための多重データ信号送信装置および多重データ信号受信装置に関する。
【背景技術】
【０００２】
近年は、光や電波などの電磁波を搬送波として用いたいろいろな無線通信が普及している。この無線通信で多チャネルのデータ信号を送受信する方法としては、時分割多重法を用いるのが一般的であるが、送受信器の電子回路が複雑になるばかりか消費電力が大きくなるため、必ずしも有利な方法とはいえない。特に近年では、携帯端末の小型化や低消費電力化が重要になってきており、簡素な回路構成で多チャネルのデータ信号を送受信する方法が望まれている。
【０００３】
その解決方法の一つとして、光が有する互いに直交する２つの直線偏光を用いて多重通信する方法が提案されている（特許文献１）。
【０００４】
図７は、直線偏光を用いた従来の多重データ信号送信装置および多重データ信号受信装置の構成例を示す。図において、多重データ信号送信装置の光源（ＬＥＤ）１１−１，１１−２は、互いに異なるデータ信号Ｄ１，Ｄ２で強度変調された光を出射する。これら２つの強度変調光は、偏光板ＰＯＬ１，ＰＯＬ２を介して互いに直交する直線偏光ＬＰ１，ＬＰ２に変換され、それらは同時に空間に放射される。
【０００５】
一方、多重データ信号受信装置では、互いに直交する直線偏光を通過させる偏光板ＰＯＬ１，ＰＯＬ２に、直線偏光ＬＰ１，ＬＰ２が同時に入射される。ここで、多重データ信号受信装置が正しい角度になっている場合には、多重データ信号送信装置と多重データ信号受信装置の各偏光板ＰＯＬ１，ＰＯＬ２は正対し、多重データ信号受信装置の偏光板ＰＯＬ１，ＰＯＬ２はそれぞれ直線偏光ＬＰ１，ＬＰ２のみを通過する。したがって、偏光板ＰＯＬ１の後段に配置した光検出器２２−１は直線偏光ＬＰ１のみを検出し、偏光板ＰＯＬ２の後段に配置した光検出器２２−２は直線偏光ＬＰ２のみを検出するので、２つのデータ信号Ｄ１，Ｄ２を分離して復調することができる。
【特許文献１】特開２００５−３４１１３０号公報
【発明の開示】
【発明が解決しようとする課題】
【０００６】
しかし、図７に示すように、多重データ信号受信装置の角度が傾き、多重データ信号送信装置と多重データ信号受信装置の偏光板ＰＯＬ１，ＰＯＬ２が正対しない場合には、多重データ信号受信装置の偏光板ＰＯＬ１，ＰＯＬ２の出力に直線偏光ＬＰ１，ＬＰ２の成分が同時に現れ、光検出器２２−１，２２−２で各一方を分離して検出することができない。
【０００７】
なお、多重データ信号送信装置と多重データ信号受信装置が固定配置であれば、それぞれの偏光板ＰＯＬ１，ＰＯＬ２が正対する関係を維持することができるが、一方が携帯端末に搭載されるような場合には、その位置や角度が所定の位置にあるとは限らず、双方の偏光板ＰＯＬ１，ＰＯＬ２が正対する関係にならないことが十分に考えられる。
【０００８】
本発明は、互いに直交する直線偏光を用いる多重通信するシステムにおいて、受信装置の位置や角度に依存せずに複数のデータ信号を多重伝送可能な多重データ信号送信装置および多重データ信号受信装置を提供することを目的とする。
【課題を解決するための手段】
【０００９】
本発明の多重データ信号送信装置は、データ信号１で変調した第１の光を出力する第１の光源と、データ信号２で変調した第２の光を出力する第２の光源と、第１の光および第２の光を入力し、第１の光を右回り円偏光ＲＣＰに変換し、第２の光を左回り円偏光ＬＣＰに変換し、それらを同時に出力する円偏光変換器とを備える。
【００１０】
円偏光変換器は、第１の光を入力して第１の直線偏光に変換する第１の偏光板と、第２の光を入力し、第１の直線偏光に直交する第２の直線偏光に変換する第２の偏光板と、第１の直線偏光を入力して右回り円偏光ＲＣＰに変換する第１の１／４波長板と、第２の直線偏光を入力して左回り円偏光ＬＣＰに変換する第２の１／４波長板とを備える。ここで、第１の１／４波長板と第２の１／４波長板を１つの１／４波長板で構成してもよい。
【００１１】
また、円偏光変換器は、第１の光を入力して第１の直線偏光に変換する第１の偏光板と、第２の光を入力し、第１の直線偏光と同一偏光の第２の直線偏光に変換する第２の偏光板と、第１の偏光板から出力される第１の直線偏光を入力して右回り円偏光ＲＣＰに変換する第１の１／４波長板と、第２の偏光板から出力される第２の直線偏光を入力して左回り円偏光ＬＣＰに変換する第２の１／４波長板とを備える。ここで、第１の偏光板と第２の偏光板を１つの偏光板で構成してもよい。
【００１２】
本発明の多重データ信号受信装置は、第１のデータ信号で変調された右回り円偏光ＲＣＰと、第２のデータ信号で変調された左回り円偏光ＬＣＰとを入力し、第１の直線偏光および第２の直線偏光に変換し、それぞれ分離して出力する直線偏光変換器と、右回り円偏光ＲＣＰから変換された第１の直線偏光を受光し、第１のデータ信号を検出する第１の光検出器と、左回り円偏光ＬＣＰから変換された第２の直線偏光を受光し、第２のデータ信号を検出する第２の光検出器とを備える。
【００１３】
直線偏光変換器は、右回り円偏光ＲＣＰと左回り円偏光ＬＣＰを互いに直交する第１の直線偏光および第２の直線偏光に変換する第１の１／４波長板と、右回り円偏光ＲＣＰと左回り円偏光ＬＣＰを互いに直交する第３の直線偏光および第４の直線偏光に変換する第２の１／４波長板と、第１の１／４波長板から出力される第１の直線偏光および第２の直線偏光のうち、右回り円偏光ＲＣＰに対応する第１の直線偏光を出力する第１の偏光板と、第２の１／４波長板から出力される第３の直線偏光および第４の直線偏光のうち、左回り円偏光ＬＣＰに対応する第４の直線偏光を出力する第２の偏光板とを備える。
【００１４】
ここで、第１の１／４波長板と第２の１／４波長板を１つの１／４波長板で構成してもよい。また、第１の偏光板と第２の偏光板を１つの偏光板で構成してもよい。
【００１５】
また、直線偏光変換器は、右回り円偏光ＲＣＰと左回り円偏光ＬＣＰを互いに直交する第１の直線偏光および第２の直線偏光に変換する１／４波長板と、１／４波長板から出力される第１の直線偏光および第２の直線偏光を空間的に分離する偏光分離素子とを備える。
【発明の効果】
【００１６】
本発明の多重データ信号送信装置では、右回り円偏光ＲＣＰと左回り円偏光ＬＣＰをそれぞれデータ信号１およびデータ信号２で変調して送信する。本発明の多重データ信号受信装置では、右回り円偏光ＲＣＰと左回り円偏光ＬＣＰを互いに直交する２つの直線偏光に変化し、この２つの直線偏光を分離して検出する。これにより、右回り円偏光ＲＣＰで伝送されたデータ信号１と左回り円偏光ＬＣＰで伝送されたデータ信号２を、受信装置の位置や角度に依存せずに常に分離して検出することが可能となる。
【発明を実施するための最良の形態】
【００１７】
図１は、本発明の多重データ信号送信装置および多重データ信号受信装置の実施形態を示す。図において、多重データ信号送信装置１０の光源１１−１，１１−２は、互いに異なるデータ信号Ｄ１，Ｄ２で強度変調された光を出射する。これら２つの強度変調光は、円偏光変換器１２を通過して光電界ベクトルの回転方向が互いに異なる右回り円偏光ＲＣＰおよび左回り円偏光ＬＣＰに変換され、それらは同時に空間に放射される。例えば、データ信号Ｄ１は右回り円偏光ＲＣＰとして伝送され、データ信号Ｄ２は左回り円偏光ＬＣＰとして伝送される。
【００１８】
一方、多重データ信号受信装置２０では、直線偏光変換器２１に右回り円偏光ＲＣＰおよび左回り円偏光ＬＣＰが同時に入射される。直線偏光変換器２１は、右回り円偏光ＲＣＰおよび左回り円偏光ＬＣＰを直線偏光ＬＰ１，ＬＰ２に変換し、それぞれ分離して出力する。右回り円偏光ＲＣＰに対応する直線偏光ＬＰ１および左回り円偏光ＬＣＰに対応する直線偏光ＬＰ２は、それぞれ個別に光検出器２２−１，２２−２に入力され、各円偏光で伝送された２つのデータ信号Ｄ１，Ｄ２が分離して復調される。
【００１９】
（円偏光変換器１２の構成例）
図２および図３は、多重データ信号送信装置１０の円偏光変換器１２の第１〜第４の構成例を示す。図において、円偏光変換器１２は、偏光板ＰＯＬと１／４波長板ＱＷＰにより構成される。ここで、偏光板ＰＯＬ１と偏光板ＰＯＬ２は、互いに直交する直線偏光を出力する構成とし、図では偏光板ＰＯＬの縦縞および横縞と直線偏光ＬＰの偏光ベクトルの方向を合わせて表記している。１／４波長板ＱＷＰ１は、偏光板ＰＯＬ１を通過した直線偏光を右回り円偏光ＲＣＰに変換し、偏光板ＰＯＬ２を通過した直線偏光を左回り円偏光ＬＣＰに変換する。１／４波長板ＱＷＰ２は、偏光板ＰＯＬ１を通過した直線偏光を左回り円偏光ＬＣＰに変換し、偏光板ＰＯＬ２を通過した直線偏光を右回り円偏光ＲＣＰに変換する。なお、１／４波長板ＱＷＰは複屈折材料で、屈折率が光の振動方向で変わる性質を有し、低い屈折率を持っている方向を速軸（ｆ軸）、それに直角で高い屈折率を持ってる方向を遅軸（ｓ軸）という。図では１／４波長板ＱＷＰ１，ＱＷＰ２の違いをｆとｓの表記位置で区別している。
【００２０】
円偏光変換器１２では、偏光板ＰＯＬ１，ＰＯＬ２から出力される互いに直交する直線偏光ＬＰ１，ＬＰ２と、１／４波長板ＱＷＰ１，ＱＷＰ２の電気的主軸（ｓ軸とｆ軸）の相対的な位置関係により、データ信号Ｄ１，Ｄ２と右回り円偏光ＲＣＰおよび左回り円偏光ＬＣＰの組み合わせが決まる。
【００２１】
図２(1) では、偏光板ＰＯＬ１と１／４波長板ＱＷＰ１の組み合わせにより、光源１１−１から出力されるデータ信号Ｄ１に対応する強度変調光は、直線偏光ＬＰ１を介して右回り円偏光ＲＣＰに変換して送信される。また、偏光板ＰＯＬ２と１／４波長板ＱＷＰ１の組み合わせにより、光源１１−２から出力されるデータ信号Ｄ２に対応する強度変調光は、直線偏光ＬＰ１と直交する直線偏光ＬＰ２を介して左回り円偏光ＬＣＰに変換して送信される。なお、２つのＱＷＰ１は１つに集約可能である。
【００２２】
図２(2) では、偏光板ＰＯＬ２と１／４波長板ＱＷＰ２の組み合わせにより、光源１１−１から出力されるデータ信号Ｄ１に対応する強度変調光は、直線偏光ＬＰ１を介して右回り円偏光ＲＣＰに変換して送信される。また、偏光板ＰＯＬ１と１／４波長板ＱＷＰ２の組み合わせにより、光源１１−２から出力されるデータ信号Ｄ２に対応する強度変調光は、直線偏光ＬＰ１と直交する直線偏光ＬＰ２を介して左回り円偏光ＬＣＰに変換して送信される。なお、２つのＱＷＰ２は１つに集約可能である。
【００２３】
図３(1) では、偏光板ＰＯＬ１と１／４波長板ＱＷＰ１の組み合わせにより、光源１１−１から出力されるデータ信号Ｄ１に対応する強度変調光は、直線偏光ＬＰ１を介して右回り円偏光ＲＣＰに変換して送信される。また、偏光板ＰＯＬ１と１／４波長板ＱＷＰ２の組み合わせにより、光源１１−２から出力されるデータ信号Ｄ２に対応する強度変調光は、直線偏光ＬＰ１と同一偏光の直線偏光ＬＰ２を介して左回り円偏光ＬＣＰに変換して送信される。なお、２つの偏光板ＰＯＬ１は１つに集約可能である。
【００２４】
図３(2) では、偏光板ＰＯＬ２と１／４波長板ＱＷＰ２の組み合わせにより、光源１１−１から出力されるデータ信号Ｄ１に対応する強度変調光は、直線偏光ＬＰ１を介して右回り円偏光ＲＣＰに変換して送信される。また、偏光板ＰＯＬ２と１／４波長板ＱＷＰ１の組み合わせにより、光源１１−２から出力されるデータ信号Ｄ２に対応する強度変調光は、直線偏光ＬＰ１と同一偏光の直線偏光ＬＰ２を介して左回り円偏光ＬＣＰに変換して送信される。なお、２つの偏光板ＰＯＬ２は１つに集約可能である。
【００２５】
また、以上示した円偏光変換器１２の構成例では、光源１１−１，１１−２としてＬＥＤを想定しているが、直線偏光ＬＰ１，ＬＰ２を出力できる例えば半導体レーザ光源であれば、円偏光変換器１２の各偏光板ＰＯＬは不要となる。
【００２６】
（直線偏光変換器２１の構成例）
図４〜図６は、多重データ信号受信装置２０の直線偏光変換器２１の第１〜第５の構成例を示す。図４，５において直線偏光変換器２１は、１／４波長板ＱＷＰと偏光板ＰＯＬにより構成され、図６において直線偏光変換器２１は、１／４波長板ＱＷＰと偏光ビームスプリッタＰＢＳにより構成される。
【００２７】
直線変換変換器２１は、１／４波長板ＱＷＰ１，ＱＷＰ２の電気的主軸（ｓ軸とｆ軸）と、偏光板ＰＯＬ１，ＰＯＬ２あるいは偏光ビームスプリッタＰＢＳの相対的な位置関係により、右回り円偏光ＲＣＰおよび左回り円偏光ＬＣＰから分離するデータ信号Ｄ１，Ｄ２との組み合わせが決まる。
【００２８】
図４(1) では、１／４波長板ＱＷＰ２と偏光板ＰＯＬ１の組み合わせにより、右回り円偏光ＲＣＰは直線偏光ＬＰ１に変換され、左回り円偏光ＬＣＰは直線偏光ＬＰ２に変換され、偏光板ＰＯＬ１に入力される。偏光板ＰＯＬ１は、右回り円偏光ＲＣＰから変換された直線偏光ＬＰ１のみを通過させ、光検出器２２−１でデータ信号Ｄ１が検出される。また、１／４波長板ＱＷＰ２と偏光板ＰＯＬ２の組み合わせにより、右回り円偏光ＲＣＰは直線偏光ＬＰ３に変換され、左回り円偏光ＬＣＰは直線偏光ＬＰ４に変換され、偏光板ＰＯＬ２に入力される。偏光板ＰＯＬ２は、左回り円偏光ＬＣＰから変換された直線偏光ＬＰ４のみを通過させ、光検出器２２−２でデータ信号Ｄ２が検出される。なお、２つの１／４波長板ＱＷＰ２は１つに集約可能である。
【００２９】
図４(2) では、１／４波長板ＱＷＰ１と偏光板ＰＯＬ２の組み合わせにより、右回り円偏光ＲＣＰは直線偏光ＬＰ１に変換され、左回り円偏光ＬＣＰは直線偏光ＬＰ２に変換され、偏光板ＰＯＬ２に入力される。偏光板ＰＯＬ２は、右回り円偏光ＲＣＰから変換された直線偏光ＬＰ１のみを通過させ、光検出器２２−１でデータ信号Ｄ１が検出される。また、１／４波長板ＱＷＰ１と偏光板ＰＯＬ１の組み合わせにより、右回り円偏光ＲＣＰは直線偏光ＬＰ３に変換され、左回り円偏光ＬＣＰは直線偏光ＬＰ４に変換され、偏光板ＰＯＬ１に入力される。偏光板ＰＯＬ１は、左回り円偏光ＬＣＰから変換された直線偏光ＬＰ４のみを通過させ、光検出器２２−２でデータ信号Ｄ２が検出される。なお、２つの１／４波長板ＱＷＰ１は１つに集約可能である。また、本構成例の直線偏光ＬＰ１〜４は、図４(1) の構成例の直線偏光ＬＰ１〜４に対して90度異なる。
【００３０】
図５(1) では、１／４波長板ＱＷＰ１と偏光板ＰＯＬ２の組み合わせにより、右回り円偏光ＲＣＰは直線偏光ＬＰ１に変換され、左回り円偏光ＬＣＰは直線偏光ＬＰ２に変換され、偏光板ＰＯＬ２に入力される。偏光板ＰＯＬ２は、右回り円偏光ＲＣＰから変換された直線偏光ＬＰ１のみを通過させ、光検出器２２−１でデータ信号Ｄ１が検出される。また、１／４波長板ＱＷＰ２と偏光板ＰＯＬ２の組み合わせにより、右回り円偏光ＲＣＰは直線偏光ＬＰ３に変換され、左回り円偏光ＬＣＰは直線偏光ＬＰ４に変換され、偏光板ＰＯＬ２に入力される。偏光板ＰＯＬ２は、左回り円偏光ＬＣＰから変換された直線偏光ＬＰ４のみを通過させ、光検出器２２−２でデータ信号Ｄ２が検出される。なお、２つの偏光板ＰＯＬ２は１つに集約可能である。
【００３１】
図５(2) では、１／４波長板ＱＷＰ２と偏光板ＰＯＬ１の組み合わせにより、右回り円偏光ＲＣＰは直線偏光ＬＰ１に変換され、左回り円偏光ＬＣＰは直線偏光ＬＰ２に変換され、偏光板ＰＯＬ１に入力される。偏光板ＰＯＬ１は、右回り円偏光ＲＣＰから変換された直線偏光ＬＰ１のみを通過させ、光検出器２２−１でデータ信号Ｄ１が検出される。また、１／４波長板ＱＷＰ１と偏光板ＰＯＬ１の組み合わせにより、右回り円偏光ＲＣＰは直線偏光ＬＰ３に変換され、左回り円偏光ＬＣＰは直線偏光ＬＰ４に変換され、偏光板ＰＯＬ１に入力される。偏光板ＰＯＬ２は、左回り円偏光ＬＣＰから変換された直線偏光ＬＰ４のみを通過させ、光検出器２２−２でデータ信号Ｄ２が検出される。なお、２つの偏光板ＰＯＬ１は１つに集約可能である。
【００３２】
図６では、１／４波長板ＱＷＰ２と偏光ビームスプリッタＰＢＳの組み合わせにより、右回り円偏光ＲＣＰは直線偏光ＬＰ１に変換され、左回り円偏光ＬＣＰは直線偏光ＬＰ２に変換され、偏光ビームスプリッタＰＢＳに入力される。偏光ビームスプリッタＰＢＳは、右回り円偏光ＲＣＰから変換された直線偏光ＬＰ１を通過し、光検出器２２−１でデータ信号Ｄ１が検出される。また、偏光ビームスプリッタＰＢＳは、左回り円偏光ＬＣＰから変換された直線偏光ＬＰ２を反射し、光検出器２２−２でデータ信号Ｄ２が検出される。なお、１／４波長板ＱＷＰ１と偏光ビームスプリッタＰＢＳの組み合わせでも、光検出器２２−１，２２−２の位置関係が反対になる他は同様である。
【図面の簡単な説明】
【００３３】
【図１】本発明の多重データ信号送信装置および多重データ信号受信装置の実施形態を示す図。
【図２】円偏光変換器１２の第１，第２の構成例を示す図。
【図３】円偏光変換器１２の第３，第４の構成例を示す図。
【図４】直線偏光変換器２１の第１，第２の構成例を示す図。
【図５】直線偏光変換器２１の第３，第４の構成例を示す図。
【図６】直線偏光変換器２１の第５の構成例を示す図。
【図７】従来の多重データ信号送信装置および多重データ信号受信装置の構成例を示す図。
【符号の説明】
【００３４】
１０  多重データ信号送信装置
１１  光源
１２  円偏光変換器
２０  多重データ信号受信装置
２１  直線偏光変換器
２２  光検出器
ＰＯＬ  偏光板
ＱＷＰ  １／４波長板
【図１】
2007318530.tif 000003
【図２】
2007318530.tif 000004
【図３】
2007318530.tif 000005
【図４】
2007318530.tif 000006
【図５】
2007318530.tif 000007
【図６】
2007318530.tif 000008
【図７】
2007318530.tif 000009